(57)【要約】【課題】任意のカラー成分の濃度が設定された所定濃度を満たさなくても、カラーバランスを崩すことなく色再現が可能な画像形成装置を提供する。【解決手段】所定のカラー成分で構成される入力画素データをカラー成分毎の階調変換テーブル８２に基づき出力画素データに変換する階調変換部８１と、前記出力画素データに基づきカラー画像を形成する画像形成部３と、前記画像形成部３により形成されたカラー成分毎の基準パターンの画像濃度が所定濃度になるように調整する画像濃度調整部８３を備えた画像形成装置であって、前記画像濃度調整部８３による何れかのカラー成分の調整濃度が所定濃度を満たさないときに、当該カラー成分を含む入力画素の成分データを当該カラー成分の最大濃度値に対応する値を入力上限値として正規化するカラー補正部８４を備えている。【選択図】図１
2008252660.tif 000002
【特許請求の範囲】
【請求項１】
所定のカラー成分で構成される入力画素データをカラー成分毎の階調変換テーブルに基づいて出力画素データに変換する階調変換部と、
前記階調変換部により階調変換された出力画素データに基づいてカラー画像を形成する画像形成部と、
前記階調変換テーブルに基づいて前記画像形成部により形成されたカラー成分毎の基準パターンの画像濃度が所定濃度になるように調整する画像濃度調整部を備えた画像形成装置であって、
前記画像濃度調整部による何れかのカラー成分の調整濃度が所定濃度を満たさないときに、当該カラー成分を含む入力画素の成分データを当該カラー成分の最大濃度値に対応する値を入力上限値として正規化するカラー補正部を備えている画像形成装置。
【請求項２】
前記カラー補正部は、前記最大濃度値に対応する入力データの値より大となる入力データに対して正規化するよう構成されている請求項１記載の画像形成装置
【請求項３】
前記画像濃度調整部は、前記画像形成部で作成され、転写ベルトに転写された各テストパッチの濃度を反射型濃度センサにより検出するよう構成されている請求項１または請求項２記載の画像形成装置。
【請求項４】
前記画像濃度調整部は、前記画像形成部で作成され、用紙に記録された各テストパッチの濃度を画像読取装置により検出するよう構成されている請求項１または請求項２記載の画像形成装置。
【発明の詳細な説明】
【技術分野】
【０００１】
本発明は、所定のカラー成分で構成される入力画素データをカラー成分毎の階調変換テーブルに基づいて出力画素データに変換する階調変換部と、前記階調変換部により階調変換された出力画素データに基づいてカラー画像を形成する画像形成部と、前記階調変換テーブルに基づいて前記画像形成部により形成されたカラー成分毎の基準パターンの画像濃度が所定濃度になるように調整する画像濃度調整部を備えた画像形成装置に関する。
【背景技術】
【０００２】
一般に、画像形成装置では、カラー画像形成を行う画像形成部による色再現可能な範囲に基づいて、カラー画像を形成するために使用する領域を決定して、決定された範囲内でシアン（Ｃ）、マゼンタ（Ｍ）、イエロー（Ｙ）といった各色を組み合わせてカラー画像を形成している。
【０００３】
例えば、前記画像形成装置の画像形成部による色再現可能な範囲が、図８に示すような破線の範囲である場合、前記画像形成装置は、図８に実線で示すような前記色再現可能な範囲よりも若干狭い範囲を使用領域として、当該使用領域にて前記画像形成部に色再現させている。つまり、各色のトナー濃度の最大値（図８ではＩＤ １．６）を設定して使用領域を決定している。
【０００４】
上述のような前記画像形成装置において、充填トナーが残量不足となることで任意の色のトナーの補給量が不足してトナー濃度に影響を及ぼす等の理由で、各色のカラーバランスが崩れてしまい適正な色を再現できない虞があった。
【０００５】
例えば、図９に示すように、マゼンタの濃度が、設定された最大値であるＩＤ １．６を再現することができなくなった場合、色再現可能な範囲が図中実線から一点鎖線に縮小する結果、色成分にマゼンタを含む赤色や青色のマゼンタ成分が減少してしまう。具体的には、赤色の場合であるとマゼンタ成分の減少に伴って黄色成分の割合が高くなり黄色味の強い赤色が出力されてしまう。
【０００６】
上述の問題を解決するために、例えば、特許文献１では、カラーバランス検出回路によりカラーバランスが異常である旨が検出されたときは、第二ルックアップテーブルからトナーを強制消費すべき色を読み出し、読み出したデータに基づいてトナー強制消費処理を実行するカラー画像記録装置が提案されている。
【特許文献１】特開平５−３２３７８０
【発明の開示】
【発明が解決しようとする課題】
【０００７】
しかし、特許文献１では、カラーバランスが崩れる度に、カラーバランスが崩れる原因である色以外の色のトナーが強制消費されるため、トナーの消費量が多くなる虞がある。また、特定の色のトナーの残存量不足からカラーバランスが崩れている場合、他の色のトナー強制消費することによって、他の色のトナーまで残存量不足に陥る虞がある。
【０００８】
逆に、カラーバランスが崩れる度に、カラーバランスが崩れる原因である色のトナーを補給する構成のカラー画像記録装置であると、補給すべきトナーが充填されているトナーカートリッジのトナー充填残存量が少ない場合に、崩れたカラーバランスの是正ができない虞がある。
【０００９】
本発明の目的は、上述の問題に鑑み、任意のカラー成分の濃度が設定された所定濃度を満たさない場合であっても、カラーバランスを崩すことなく色再現が可能な画像形成装置を提供する点にある。
【課題を解決するための手段】
【００１０】
上述の目的を達成するために、本発明による画像形成装置の第一の特徴構成は、特許請求の範囲の書類の請求項１に記載した通り、所定のカラー成分で構成される入力画素データをカラー成分毎の階調変換テーブルに基づいて出力画素データに変換する階調変換部と、前記階調変換部により階調変換された出力画素データに基づいてカラー画像を形成する画像形成部と、前記階調変換テーブルに基づいて前記画像形成部により形成されたカラー成分毎の基準パターンの画像濃度が所定濃度になるように調整する画像濃度調整部を備えた画像形成装置であって、前記画像濃度調整部による何れかのカラー成分の調整濃度が所定濃度を満たさないときに、当該カラー成分を含む入力画素の成分データを当該カラー成分の最大濃度値に対応する値を入力上限値として正規化するカラー補正部を備えている点にある。
【００１１】
上述の構成によれば、カラー補正部が、所定濃度を満たすカラー成分の入力上限値を、所定濃度を満たさないカラー成分の入力上限値に合わせるように正規化するので、正規化しない場合は崩れているカラーバランスを正規化することで是正することができる。なお、人間が画像形成装置から出力された画像を見た場合、階調や彩度の認識よりも色相の認識の感度の方がまさっているため、前記正規化による濃度の再現可能な範囲の縮小によって階調や彩度が正規化前よりも劣る不利益よりも、正規化によるカラーバランスの是正によって色相が維持される利益の方が大きい。
【００１２】
同第二の特徴構成は、同請求項２に記載した通り、上述の第一特徴構成に加えて、前記カラー補正部は、前記最大濃度値に対応する入力データの値より大となる入力データに対して正規化するよう構成されている点にある。
【００１３】
入力データとしての画素に対して正規化を行なうと正規化が行なわれた画素については濃度の再現可能な範囲が縮小してしまうが、上述の構成によれば、前記カラー補正部は、入力データが前記最大濃度値に対応する入力データの値以下である場合は正規化を行わないので、濃度の再現可能な範囲の縮小を必要最低限の入力データのみに抑えることができる。
【００１４】
同第三の特徴構成は、同請求項３に記載した通り、上述の第一または第二特徴構成に加えて、前記画像濃度調整部は、前記画像形成部で作成され、転写ベルトに転写された各テストパッチの濃度を反射型濃度センサにより検出するよう構成されている点にある。
【００１５】
上述の構成によれば、前記画像濃度調整部は、反射型濃度センサによってテストパッチの濃度を検出して、検出されたテストパッチの濃度データに基づいて濃度調整を行なうので、テストパッチを用紙に印刷して、前記テストパッチが印刷された用紙を前記画像形成装置のスキャナによって読み取るといった煩雑な作業が不要となる。
【００１６】
同第四の特徴構成は、同請求項４に記載した通り、上述の第一または第二特徴構成に加えて、前記画像濃度調整部は、前記画像形成部で作成され、用紙に記録された各テストパッチの濃度を画像読取装置により検出するよう構成されている点にある。
【００１７】
上述の構成によれば、前記画像濃度調整部は、用紙に記録されたテストパッチに基づいて濃度調整を行なうので、反射型濃度センサを用いた場合には必要となる転写ベルトを備えていない画像形成装置であっても濃度調整を行なうことができる。
【発明の効果】
【００１８】
本発明によれば、任意のカラー成分の濃度が設定された所定濃度を満たさない場合であっても、カラーバランスを崩すことなく色再現が可能な画像形成装置を提供することができるようになった。
【発明を実施するための最良の形態】
【００１９】
以下、本発明による画像形成装置をタンデム方式のカラーデジタル複写機に適用した実施形態について説明する。
【００２０】
前記カラーデジタル複写機は、図１及び図２に示すように、カラーＣＣＤを備え、原稿画像を光電変換して読み取る画像読取部１と、前記画像読取部１で読み取られたＲＧＢ成分の画像データに対して階調変換、カラー調整、倍率変換等の画像処理を施し、ＹＭＣＫの各成分による出力画像データに変換する画像処理部２と、前記画像処理部２で変換された出力画像データに基づいてＹＭＣＫの各色成分のトナー像を形成する画像形成部３と、前記画像形成部３に記録媒体としての用紙を供給する給紙部４と、給紙された用紙にトナー像を転写する転写部５と、トナー像が転写された用紙を定着処理する定着部６と、前記用紙が排出される排紙部７と、それらを制御する制御部８等を備えて構成されている。
【００２１】
前記画像形成部３は、図２に示すように、像担持手段としての転写ベルト５１に沿って配置されたＭ（マゼンタ）、Ｃ（シアン）、Ｙ（イエロー）、Ｋ（ブラック）の各色に対応した四つの感光体ユニット３０で構成され、各感光体ユニット３０には、感光体３１の周方向に沿って帯電装置、露光ヘッド、現像ローラや磁気ローラ等よりなる現像装置、クリーナ、除電ランプ等が配置されている。
【００２２】
なお、前記画像形成部３には、後述する制御部８によって制御される現像バイアス調整手段が備えられており、前記バイアス電圧調整手段は、少なくとも前記現像装置に所定の低圧バイアス電圧を印加した状態で、前記感光体３１に形成される後述する基準パターンの濃度が所定濃度となるように前記現像装置へ印加するバイアス電圧である現像バイアスを調整するように構成されている。
【００２３】
前記転写部５は、三本のローラ５０に支持された無端状の前記転写ベルト５１と、前記転写ベルト５１を介して前記感光体３１の反対側に配置された一次転写ローラと、前記転写ベルト５１に接触配置された二次転写ローラ５２等を備えて構成されており、前記感光体ユニット３０で形成されたＭ（マゼンダ）、Ｃ（シアン）、Ｙ（イエロー）、Ｋ（ブラック）の夫々のトナー像が前記一次転写ローラに印加される転写電圧の作用によって前記転写ベルト５１上に一次転写され、前記二次転写ローラ５２に印加される転写電圧の作用によって前記給紙部４から給紙された用紙に二次転写される。
【００２４】
前記制御部８は、ＣＰＵと、ＣＰＵにより実行される制御プログラム等が格納されたＲＯＭと、制御データを格納するＲＡＭ等を備えて構成されており、前記ＣＰＵにより実行される制御プログラム及び関連するハードウェアにより、前記カラーデジタル複写機に画像形成処理を実行させるための所定の機能が実現される。
【００２５】
以下、前記画像処理部２について説明する。以下で説明する前記画像処理部２の機能は、前記制御部８に備えられたＣＰＵ、または、前記画像処理部２に備えられたＣＰＵにより実行される制御プログラムによって実現される。
【００２６】
つまり、前記画像処理部２は、所定のカラー成分で構成される入力画素データをカラー成分毎の階調変換テーブル８２に基づいて出力画素データに変換する階調変換部８１を備えて構成されており、前記画像形成部３は、前記階調変換部８１により階調変換された出力画素データに基づいてカラー画像を形成する。
【００２７】
前記階調変換テーブル８２は、入力画素データに対して出力画素データが所望の階調性を確保できるように数値変換するルックアップテーブルで、例えば、図３に示すような階調特性を持たせたものである。なお、前記ルックアップテーブルは前記制御部８または前記画像処理部に設けられたＲＯＭに記憶されている。
【００２８】
前記階調変換テーブル８２は、入力画素データを構成するカラー成分毎に設けられている。例えば、入力画素データがシアン、マゼンタ、イエロー、ブラックの四個の画素データで構成されている場合、前記階調変換テーブル８２として、シアン用の階調変換テーブル８２、マゼンタ用の階調変換テーブル８２、イエロー用の階調変換テーブル８２、及びブラック用の階調変換テーブル８２の四種類の階調変換テーブル８２が、前記ＲＯＭに記憶されている。
【００２９】
前記階調変換部８１は、前記画像読取部１から受け取った入力画素データを各カラー成分について各カラー成分用の階調変換テーブル８２に適用することによって、各カラー成分についての出力画素データを得て、前記画像形成部３に出力する。
【００３０】
また、前記画像処理部２は、前記階調変換テーブル８２に基づいて前記画像形成部３により形成されたカラー成分毎の基準パターンの画像濃度が所定濃度になるように調整する画像濃度調整部８３と、前記画像濃度調整部８３による何れかのカラー成分の調整濃度が所定濃度を満たさないときに、当該カラー成分を含む入力画素の成分データを当該カラー成分の最大濃度値に対応する値を入力上限値として正規化するカラー補正部８４とを備えて構成されている。
【００３１】
以下、前記画像濃度調整部８３について説明する。前記制御部８は、例えば、装置の電源スイッチが投入され、通常の画像形成プロセスが可能な状態に移行するウォーミングアップ完了の前の所定時期に、前記画像形成部３に形成された基準パターンが前記転写ベルト５１に転写されるように制御し、前記画像濃度調整部８３に画像濃度の調整動作を実行させる。
【００３２】
前記基準パターンは、予め設定された順序に並べられた夫々階調パターンの異なる複数のテストパッチよりなる画素データを、前記画像形成部３にて前記転写ベルト５１に転写させた夫々画像濃度の異なる複数のテストパッチよりなる静電潜像である。前記基準パターンの例を図４（ａ）に示す。
【００３３】
つまり、前記基準パターンの画素データは、前記画像処理部２または前記制御部８に備えられたＲＯＭに記憶されており、前記画像処理部２が前記ＲＯＭにアクセスすることで読み出された前記基準パターンの画素データが、前記階調変換部８１において画素データの変換処理がなされた後に前記画像形成部３に出力され、前記画像形成部３において前記基準パターンの静電潜像が形成される。
【００３４】
そして、前記画像濃度調整部８３は、前記画像形成部３で作成され、前記転写ベルト５１に転写された各テストパッチの濃度を反射型濃度センサ３２により検出するよう構成されている。
【００３５】
前記反射型濃度センサ３２は、図２に示すように、前記転写ベルト５１の周方向に沿って、前記感光体ユニット３０より下流側に設けられている。
【００３６】
詳述すると、前記反射型濃度センサ３２は、図４（ｂ）に示すように、前記転写ベルト５１の法線方向に対して所定の傾斜角度で単一の偏光光を投光する投光部３２１と、前記法線方向に対して前記投光部３２１と反対側に配置され、前記転写ベルト５１からの反射光を前記投光光と同一の第１の偏光光と前記投光光と異なる第２の偏光光とに分離する偏光分離部３２２と、前記第１及び前記第２の偏光光を受光する第１及び第２の受光部３２３とを備えて構成されており、前記反射型濃度センサ３２によって検出される濃度値は、トナー像が形成されていない前記転写ベルト５１表面を検出したときを１として、トナー像の濃度が濃くなるほど低い値を示す。
【００３７】
前記画像濃度調整部８３は、検出された前記基準パターンの各テストパッチの濃度からトナー濃度値としての画像濃度を算出して、算出された画像濃度が予め設定された所定濃度に維持されるように、前記画像形成部３で形成されるトナー像の濃度、つまりトナーの付着量を調整する。
【００３８】
詳述すると、前記画像濃度調整手段８３は、前記テストパッチに対する画像濃度が所定濃度になるように、例えば、前記画像形成部３に備えられた前記現像装置の現像バイアスを調整する。具体的には、前記反射型濃度センサ３２が、前記基準パターンの元となる画素データにおいて階調レベルが最大の２５５であるテストパッチの画像濃度を検出したときに、当該画像濃度がＩＤ １．６、つまりベタ濃度がＩＤ １．６となるように、前記現像装置へ印加する現像バイアスを調整する。
【００３９】
以下、前記カラー補正部８４について説明する。なお、以下の説明では、前記所定濃度の値は、前段落で説明したようにＩＤ １．６に設定されたとして説明を行なう。
【００４０】
前記カラー補正部８４は、各カラー成分（シアン、マゼンタ、イエロー、ブラック）について、前記画像濃度調整部８３において検出された基準パターンのテストパッチのうち最も濃度が高いもの、つまりベタ濃度が、前記画像濃度調整手段８３によって調整されたＩＤ １．６に達しているか否かについて判定を行なう。
【００４１】
前記カラー補正部８４は、少なくとも一つのカラー成分について、ベタ濃度がＩＤ １．６に達していない場合は、後述する正規化処理を行なう。
【００４２】
全てのカラー成分についてベタ濃度がＩＤ １．６に達している場合とは、例えば、全てのカラー成分で、図５（ａ）に示すように、最大の成分データ２５５に対する画像濃度がＩＤ １．６となる場合である。この場合のマゼンタとイエローについての三個の入力画素データＡ〜Ｃの成分データ及び画像濃度について例示すると、図６（ａ）に示すような成分データ及び画像濃度となる。
【００４３】
一方、あるカラー成分（マゼンタとする）についてベタ濃度がＩＤ１．６に達しない、例えば、ＩＤ １．２にしか達しない場合とは、図５（ｂ）に示すように、当該カラー成分であるマゼンタでは、ある成分データ（図５（ｂ）では１９２）以上に対する画像濃度がＩＤ １．２にしか達しない場合である。この場合のマゼンタとイエローについて、図６（ａ）と同様の成分データ及び画像濃度について例示すると、図６（ｂ）に示すような成分データ及び画像濃度となり、画素データＢとＣにおいて、図６（ａ）とＭＹ（マゼンタとイエロー）の割合が異なる。つまり、図６（ｂ）は図６（ａ）と比較すると、画素データＡの色相は同一であるが画像データＢとＣの色相が異なる色相となってしまう。
【００４４】
そこで、前記カラー補正部８４は、あるカラー成分について画像濃度が所定濃度を満たさない場合、当該カラー成分を含む入力画素の成分データを当該カラー成分の最大濃度値に対応する値を入力上限値として正規化するように構成されている。
【００４５】
例えば、当該カラー成分がマゼンタである場合、前記カラー補正部８４は、シアン及び／またはイエローのみを含む入力画素の成分データの正規化を行なわない。
【００４６】
また、前記カラー補正部８４は、前記最大濃度値に対応する入力データの値より大となる入力データに対して正規化するよう構成されている。
【００４７】
例えば、図６（ｂ）に示すように、当該カラー成分がマゼンタであって、画素データＢとＣにおいてはマゼンタの画像濃度が前記最大濃度値であるＩＤ １．２に達しているが、画素データＡにおいてはマゼンタの画像濃度がＩＤ １．２に達していない場合は、前記カラー補正部８４は、画像濃度がＩＤ １．２に達している入力画素ＢとＣ成分データにおいてのみ正規化を行なう。
【００４８】
正規化は、正規化を行なう成分データを以下に示す〔数１〕に適用することで行なう。〔数１〕において、「Ｄ」は、当該カラー成分以外の入力画素の成分データ（正規化前の成分データ）であり、「ａ」は、当該カラー成分の入力画素の成分データであり、「ｂ」は、当該カラー成分についての成分データであって、前記反射型濃度センサ３２によって検出されたときに最大画像濃度を示した成分データのうち最小の成分データであり、「Ｄ´」は、当該カラー成分以外の入力画素の正規化された成分データ（正規化後の成分データ）である。
【数１】
2008252660.tif 000003
【００４９】
例えば、図６（ｂ）の画素データに対して正規化を行なった場合、画素データＢでは、「Ｄ」は、マゼンタ以外つまりイエローの成分データである２５５であり、「ａ」は、マゼンタの成分データである２５５であり、「ｂ」は、図５（ｂ）よりマゼンタの最大画像濃度であるＩＤ １．２を示す成分データのうち最小の成分データである１９２である。よって、「Ｄ´」は、図６（ｃ）に示すように、「１９２」となる。同様にして、画素データＣについても「Ｄ´」を求めると、図６（ｃ）に示すように、「１４４」となる。
【００５０】
そして、図６（ｃ）に示すように、正規化後の成分データ「１９２」、「１４４」に対する画像濃度は夫々、「１．２」、「０．９」となり、図６（ｂ）における画像濃度よりも低くなる。つまり、本発明にかかるカラーデジタル複写機は、正規化を行なわない場合は、画像濃度ＩＤ ０〜１．６で全ての階調レベルを再現するところを、正規化を行なった場合は、画像濃度ＩＤ ０〜１．２で全ての階調レベルを再現するのである。
【００５１】
以下、本発明によるカラーデジタル複写機のカラー補正部８４による正規化について、図７に示すフローチャートに基づいて説明する。
【００５２】
画像濃度調整部８３は、基準パターンの画像濃度が所定濃度になるように調整を行ない（Ｓ１）、前記カラー補正部８４は、ステップＳ１で調整された全てのカラー成分についての調整濃度が前記所定濃度を満たす場合は（Ｓ２）、正規化を行なわない。一方、前記カラー補正部８４は、ステップＳ１で調整された少なくとも一つのカラー成分の調整濃度が前記所定濃度を満たさない場合は（Ｓ２）、当該カラー成分についてのベタ濃度、つまり当該カラー成分について反射型濃度センサ３２によって検出された画像濃度のうち最大の濃度を算出して（Ｓ３）、算出したベタ濃度に対応する成分データを算出する（Ｓ４）。
【００５３】
前記カラー補正部８４は、入力画素の当該カラー成分の成分データが、ステップＳ４で算出した成分データ以上の場合は（Ｓ５）、当該入力画素における当該カラー成分以外のカラー成分のデータの正規化を行なう（Ｓ６）。ステップＳ５及びステップＳ６の処理を画像データにおける全ての画素データについて行なう。
【００５４】
そして、全色の成分データは画像処理部２の階調変換部８１等に出力される（Ｓ７）。
【００５５】
以下、別実施形態について説明する。上述の実施形態では、画像濃度調整部８３は、画像形成部３で作成され、転写ベルト５１に転写された各テストパッチの濃度を反射型濃度センサ３２により検出する構成について説明したが、前記画像濃度調整部８３は、前記画像形成部３で作成され、用紙に記録された各テストパッチの濃度を画像読取装置により検出する構成であってもよい。
【００５６】
つまり、本実施形態のカラーデジタル複写機は、反射型濃度センサ３２を備えておらず、基準パターンは用紙に記録された上で前記カラーデジタル複写機から出力され、出力された基準パターンが記録された用紙は、原稿として前記画像読取装置、つまり画像読取部１に備えられたスキャナによって読み取られて前記画像濃度調整部８３に送られるのである。
【００５７】
上述の実施形態では、カラー補正部８４は、最大濃度値に対応する入力データの値より大となる入力データに対して正規化する構成について説明したが、前記カラー補正部８４は、最大濃度値に対応する入力データの値より大となるか否かにかかわらず入力データに対して正規化する構成であってもよい。
【００５８】
上述の実施形態では、反射型濃度センサ３２が、基準パターンの元となる画素データにおいて階調レベルが最大の２５５であるテストパッチの画像濃度を検出したときに、当該画像濃度がＩＤ １．６、つまりベタ濃度がＩＤ １．６となる濃度を所定濃度とする構成について説明したが、前記所定濃度はＩＤ １．６に限らない。例えば、ＩＤ １．４等であってもよい。
【００５９】
上述の実施形態では、あるカラー成分についてベタ濃度がＩＤ １．２にしか達しない場合を例示して説明したが、複数のカラー成分について達していない場合であってもよい。
【００６０】
例えば、マゼンタついてベタ濃度がＩＤ １．２にしか達せず、シアンについてベタ濃度がＩＤ１．０にしか達しない場合、カラー補正部８４は、より低い濃度にしか達しないシアンを基準にして、他のカラー成分を正規化する構成であってもよい。
【００６１】
上述の実施形態は何れも本発明の一実施例に過ぎず、当該記載により本発明の範囲が限定されるものではなく、各部の具体的構成は本発明による作用効果を奏する範囲において適宜変更することができることは言うまでもない。
【図面の簡単な説明】
【００６２】
【図１】カラーデジタル複写機（画像形成装置）のブロック構成図
【図２】カラーデジタル複写機（画像形成装置）の内部説明図
【図３】階調変換テーブルの説明図
【図４】（ａ）は、基準パターンを示し、（ｂ）は、反射型濃度センサを示す説明図
【図５】（ａ）は、全てのカラー成分についてベタ濃度がＩＤ １．６に達している場合の成分データと画像濃度の関係を示し、（ｂ）は、あるカラー成分についてベタ濃度がＩＤ１．６に達しない場合の成分データと画像濃度の関係を示すグラフ
【図６】（ａ）は、全てのカラー成分についてベタ濃度がＩＤ １．６に達している場合の三個の入力画素データの成分データ及び画像濃度を示し、（ｂ）は、あるカラー成分についてベタ濃度がＩＤ１．６に達しない場合の三個の入力画素データの成分データ及び画像濃度を示し、（ｃ）は、あるカラー成分についてベタ濃度がＩＤ１．６に達しない場合に正規化が実行された場合の三個の入力画素データの成分データ及び画像濃度を示す説明図
【図７】本発明による画像形成装置のカラー補正部による正規化について説明するためのフローチャート
【図８】色再現可能な範囲と使用領域についての説明図
【図９】色再現可能な範囲の変動についての説明図
【符号の説明】
【００６３】
２：画像処理部
３：画像形成部
３２：反射型濃度センサ
５１：転写ベルト
８１：階調変換部
８２：階調変換テーブル
８３：画像濃度調整部
８４：カラー補正部
【図１】
2008252660.tif 000004
【図２】
2008252660.tif 000005
【図３】
2008252660.tif 000006
【図５】
2008252660.tif 000007
【図６】
2008252660.tif 000008
【図７】
2008252660.tif 000009
【図８】
2008252660.tif 000010
【図９】
2008252660.tif 000011
【図４】
2008252660.tif 000012